【事件の表示】
　特許第３３２７０９４号「グラビア印刷用水性印刷インキ」の請求項１、３に係る特許に対する特許異議の申立てについて、次のとおり決定する。
【結　論】
　訂正を認める。
　特許第３３２７０９４号の請求項１、３に係る特許を維持する。
【理　由】
１．手続の経緯
　特許第３３２７０９４号の請求項１、３に係る発明の出願は、平成８年１月２９日に特許出願され、平成１４年７月１２日にその特許権の設定登録がなされ、その後、その特許について、異議申立人藤田肇より特許異議の申立てがなされ、平成１５年７月１６日付けで取消しの理由が通知され、その指定期間内である平成１５年９月２９日に訂正請求がなされたものである。
　
２．訂正の適否についての判断
（１）訂正の内容
　特許権者が求めている訂正の内容は、訂正請求書に添付した訂正明細書のとおりに訂正すること、即ち、以下の訂正事項ａ〜ｇのとおりである。
　
訂正事項ａ
　特許請求の範囲の請求項１の「最低造膜温度が７０〜２３０℃の、塩化ビニル−酢酸ビニル系共重合体、塩化ビニル−アクリル酸エステル系共重合体およびアクリル酸エステル系重合体からなる群より選ばれる１種または２種以上の樹脂エマルジョンをベヒクルとして用いることを特徴とするグラビア印刷用水性印刷インキ。」を「最低造膜温度が７０〜２３０℃の、塩化ビニル−酢酸ビニル系共重合体、塩化ビニル−アクリル酸エステル系共重合体より選ばれる１種または２種の樹脂エマルジョンをベヒクルとして用いることを特徴とするグラビア印刷用水性印刷インキ。」に訂正する。
　
訂正事項ｂ
　特許請求の範囲の請求項２の「トリメチルホスフェート、トリエチルホスフェート、トリブチルホスフェート、トリ−（２−エチルヘキシル）ホスフェート、トリブトキシエチルホスフェートから選ばれるリン酸誘導体を含むことを特徴とする請求項１記載のグラビア印刷用水性印刷インキ。」を「最低造膜温度が７０〜２３０℃の、塩化ビニル−酢酸ビニル系共重合体、塩化ビニル−アクリル酸エステル系共重合体およびアクリル酸エステル系共重合体からなる群より選ばれる１種または２種以上の樹脂エマルジョンをべヒクルとして用い、さらにトリメチルホスフェート、トリエチルホスフェート、トリブチルホスフェート、トリ−（２−エチルヘキシル）ホスフェート、トリブトキシエチルホスフェートから選ばれるリン酸誘導体を含むことを特徴とするグラビア印刷用水性印刷インキ。」に訂正する。
　
訂正事項ｃ
　明細書の段落番号【０００５】の「本発明は、最低造膜温度が７０〜２３０℃の、塩化ビニル−酢酸ビニル系共重合体、または塩化ビニル−アクリル酸エステル系共重合体およびアクリル酸エステル系共重合体からなる群より選ばれる１種または２種以上の樹脂エマルジョンをべヒクルとして用いることを特徴とするグラビア印刷用水性印刷インキを提供する。」を「本発明は、最低造膜温度が７０〜２３０℃の、塩化ビニル−酢酸ビニル系共重合体、塩化ビニル−アクリル酸エステル系共重合体より選ばれる１種または２種の樹脂エマルジョンをベヒクルとして用いることを特徴とするグラビア印刷用水性印刷インキを提供する。」に訂正する。
　
訂正事項ｄ
　明細書の段落番号【０００５】の「また、本発明は、トリメチルホスフェート、トリエチルホスフェート、トリブチルホスフェート、トリ−（２−エチルヘキシル）ホスフェート、トリブトキシエチルホスフェートから選ばれるリン酸誘導体を含むことを特徴とするグラビア印刷用水性印刷インキを提供する。」を「また、本発明は、最低造膜温度が７０〜２３０℃の、塩化ビニル−酢酸ビニル系共重合体、塩化ビニル−アクリル酸エステル系共重合体およびアクリル酸エステル系共重合体からなる群より選ばれる１種または２種以上の樹脂エマルジョンをべヒクルとして用い、さらにトリメチルホスフェート、トリエチルホスフェート、トリブチルホスフェート、トリ−（２−エチルヘキシル）ホスフェート、トリブトキシエチルホスフェートから選ばれるリン酸誘導体を含むことを特徴とするグラビア印刷用水性印刷インキを提供する。」に訂正する。
　
訂正事項ｅ
　アクリル酸エステル系重合体エマルジョンを含む実施例４に関する、段落番号【００１６】を削除する。
　
訂正事項ｆ
　明細書の段落番号【００１９】の「〔比較例３〕実施例４と同様にして、下記組成の水性印刷インキを得た。(1)アクリル酸エステル系重合体エマルジョン６７．０部（最低造膜温度２３℃、固型分４２％）(2)ポリエチレンワックス３．０部(3)水６．９部(4)シリコーン系消泡剤０．１部(5)ウレタン変性ポリエーテル系粘着性付与剤３．０部(6)顔料分散体（フタロシアニン顔料、顔料分４２．５％）２０．０部」を「「〔比較例３〕(1)アクリル酸エステル系重合体エマルジョン６７．０部（最低造膜温度２３℃、固型分４２％）(2)ポリエチレンワックス３．０部(3)水６．９部(4)シリコーン系消泡剤０．１部(5)ウレタン変性ポリエーテル系粘着性付与剤３．０部(6)顔料分散体（フタロシアニン顔料、顔料分４２．５％）２０．０部　上記組成中の(１)〜(５)を攪拌機で混合後、卓上サンドミルにて分散し、(６）を攪拌機にて混合し、グラビア印刷用水性印刷インキを得た。」に訂正する。
　
訂正事項ｇ
　段落番号【００２４】の【表１】における、実施例４に関する部分を削除する。
　
（２）訂正の目的の適否、新規事項の有無及び特許請求の範囲の拡張・変更の存否
(ア)上記訂正事項ａは、訂正前は本件請求項１の発明の樹脂エマルジョンとして包含されていた「アクリル酸エステル系共重合体」を削除し、それに対応して「より選ばれる１種または２種以上の樹脂エマルジョン」を「より選ばれる１種または２種の樹脂エマルジョン」と訂正するものであるから、特許請求の範囲の減縮を目的とする明細書の訂正に該当し、新規事項の追加に該当せず、また、実質上特許請求の範囲を拡張し、又は変更するものではない。
　
(イ)上記訂正事項ｂは、上記(ア)で指摘した訂正に伴い、訂正前は請求項１を引用する引用形式で記載されていたものを、請求項１を引用しない独立形式の記載に訂正するものであるから、明りょうでない記載の釈明を目的とするものである。
　そして、訂正事項ｂは、新規事項の追加に該当せず、実質上特許請求の範囲を拡張し、又は変更するものではない。
　
(ウ)上記訂正事項ｃは、上記(ア)で指摘した訂正に伴い、訂正後の請求項１の記載との整合性を図るものであるから、明りょうでない記載の釈明を目的とする明細書の訂正に該当し、新規事項の追加に該当せず、また、実質上特許請求の範囲を拡張し、又は変更するものではない。
　
(エ)上記訂正事項ｄは、上記(イ)で指摘した訂正に伴い、訂正後の請求項２の記載との整合性を図るものであるから、明りょうでない記載の釈明を目的とする明細書の訂正に該当し、新規事項の追加に該当せず、また、実質上特許請求の範囲を拡張し、又は変更するものではない。
　
(オ)上記訂正事項ｅは、上記(ア)で指摘した訂正に伴い、アクリル酸エステル系重合体エマルジョンを用いる実施例４を削除するものであるから、明りょうでない記載の釈明を目的とするものである。
　そして、訂正事項ｅは、新規事項の追加に該当せず、実質上特許請求の範囲を拡張し、又は変更するものではない。
　
(カ)上記訂正事項ｆは、上記(オ)で指摘した訂正に伴い、訂正前は実施例４を引用する形式で記載されていたものを、実施例４を引用しない形式の記載に訂正するものであるから、明りょうでない記載の釈明を目的とするものである。
　そして、訂正事項ｆは、新規事項の追加に該当せず、実質上特許請求の範囲を拡張し、又は変更するものではない。
　
(キ)上記訂正事項ｇは、上記(オ)で指摘した訂正に伴い、訂正前は実施例４に関する評価結果が記載されていたものを、当該部分を削除するものであるから、明りょうでない記載の釈明を目的とするものである。
　そして、訂正事項ｇは、新規事項の追加に該当せず、実質上特許請求の範囲を拡張し、又は変更するものではない。
　
（３）むすび
　以上のとおりであるから、上記訂正は、特許法第１２０条の４第２項及び同条第３項において準用する特許法第１２６条第２項から第４項までの規定に適合するので、当該訂正を認める。
　
　
３．特許異議申立てについての判断
（ア）本件発明
　前述のように、本件訂正は適法なものであるので、本件の請求項１〜３に係る発明は、上記訂正に係る訂正明細書の特許請求の範囲請求項１〜３に記載された次のとおりのものである。
「【請求項１】最低造膜温度が７０〜２３０℃の、塩化ビニル−酢酸ビニル系共重合体、塩化ビニル−アクリル酸エステル系共重合体より選ばれる１種または２種の樹脂エマルジョンをベヒクルとして用いることを特徴とするグラビア印刷用水性印刷インキ。
【請求項２】最低造膜温度が７０〜２３０℃の、塩化ビニル−酢酸ビニル系共重合体、塩化ビニル−アクリル酸エステル系共重合体およびアクリル酸エステル系共重合体からなる群より選ばれる１種または２種以上の樹脂エマルジョンをべヒクルとして用い、さらにトリメチルホスフェート、トリエチルホスフェート、トリブチルホスフェート、トリ−（２−エチルヘキシル）ホスフェート、トリブトキシエチルホスフェートから選ばれるリン酸誘導体を含むことを特徴とするグラビア印刷用水性印刷インキ。
【請求項３】顔料分散体を含むことを特徴とする請求項１または２記載のグラビア印刷用水性印刷インキ。」
　
（イ）異議申立ての理由の概要
　特許異議申立人は甲第１及び２号証を提出し、訂正前の請求項１に係る発明は、甲第１号証に記載された発明であるから、特許法第２９条第１項第３号の規定に該当し、また、訂正前の請求項３に係る発明は、甲第１及び２号証に記載された発明に基いて当業者が容易に発明をすることができたものであるから、特許法第２９条第２項の規定により特許を受けることができず、訂正前の本件請求項１及び３に係る発明の特許は取り消されるべき旨主張している。
　
（ウ）当審で通知した取消しの理由
　当審における取消理由通知の内容は、上記「（イ）異議申立ての理由の概要」に記載した理由と同趣旨である。
　
（エ）各甲号証の記載内容
　甲第１及び２号証には、以下の事項が記載されている。
（エ−１）甲第１号証の記載
甲第１号証［ローム・アンド・ハース社の製品カタログ（ROHM AND HAAS JAPAN K.K., PRIMAL PARALOID；１９８２年４月１日発行）、第１８〜１９頁．］には、「６　インキ　６−１　熱可塑型アクリルエマルジョン」の項目に、商品名「プライマル　Ｂ−８５」のＭＦＴ（最低造膜温度）が９０℃以上であり、その用途は「水性グラビアインキ」であることが記載されている。
　
（エ−２）甲第２号証の記載
　甲第２号証［相原次郎、一見敏男、根本雄平編著「印刷インキ技術　−処方設計と機能性インキの開発−」（株式会社シーエムシー、１９８４年１０月３０日発行）、第１９５〜２０７頁．］には、現在使用されている水性インキで使用量の多いのは、フレキソインキとグラビアインキであって、これらのインキのビヒクル用樹脂としてはアルカリ可溶性の樹脂が好んで用いられること（第１９７頁下から第１〜２行）、水性インキは、樹脂（水溶性樹脂、コロイダルディスパージョン、エマルション）を含む成分から成り立っていること（第１９８頁第２〜３行）、エマルションのなかではアクリルエマルションがもっとも水性インキに適していること（第２０４頁第２〜３行）、顔料水性分散体は、顔料を非イオン系またはアニオン系の界面活性剤を分散剤として水に分散させたもので、顔料捺染や水性塗料に大きな需要があって、水性インキの種類によってはこれをそのまま流用することもできること（第２０５頁第１〜３行）が記載されている。
　
（オ）当審の判断
（ａ）特許法第２９条第１項第３号について
　上記訂正により、本件の請求項１における樹脂エマルジョンに関する選択肢中にはアクリル酸エステル系共重合体が包含されないものとなったので、本件の請求項１に係る発明は甲第１号証に記載ないし示唆されるものとは異なるものとなった。
  したがって、本件の請求項１に係る発明は、甲第１号証に記載された発明であるということはできない。
　
（ｂ）特許法第２９条第２項について
　甲第１及び２号証には、(ｉ)「最低造膜温度が７０〜２３０℃の、塩化ビニル−酢酸ビニル系共重合体、塩化ビニル−アクリル酸エステル系共重合体より選ばれる１種または２種の樹脂エマルジョン」及び(ii)「トリメチルホスフェート、トリエチルホスフェート、トリブチルホスフェート、トリ−（２−エチルヘキシル）ホスフェート、トリブトキシエチルホスフェートから選ばれるリン酸誘導体を含む」点、に関する記載も示唆もなされていない。
　そして、本件の請求項３に係る発明は、請求項１を引用する部分については上記(ｉ)の特定要件を、また、請求項２を引用する部分については上記(ii)の特定要件を、それぞれ含むことにより、インキ安定性、印刷適性、印刷効果に優れ、且つ塗膜物性（接着性、耐水性、耐摩擦性、耐薬品性、耐汚染性等）を有するグラビア印刷用水性印刷インキを得られるという、明細書に記載の作用効果を奏するものである。
  したがって、本件の請求項３に係る発明は、甲第１及び２号証に記載された発明に基いて、当業者が容易に発明をすることができたものであるということはできない。
　
４．むすび
　以上のとおりであるから、特許異議の申立ての理由及び証拠によっては本件の請求項１、３に係る発明についての特許を取り消すことはできない。
　また、他に本件の請求項１、３に係る発明についての特許を取り消すべき理由を発見しない。
　よって、結論のとおり決定する。
【異議決定日】
平成１５年１０月３１日（２００３．１０．３１）
【訂正の要旨】
審決（決定）の【理由】欄参照。
（５４）【発明の名称】
グラビア印刷用水性印刷インキ
（５７）【特許請求の範囲】
　【請求項１】最低造膜温度が７０〜２３０℃の、塩化ビニル−酢酸ビニル系共重合体、塩化ビニル−アクリル酸エステル系共重合体
より選ばれる１種または２種の
　【請求項２】最低造膜温度が７０〜２３０℃の、塩化ビニル−酢酸ビニル系共重合体、塩化ビニル−アクリル酸エステル系共重合体およびアクリル酸エステル系共重合体からなる群より選ばれる１種または２種以上の樹脂エマルジョンをベヒクルとして用い
、さらにトリメチルホスフェート、トリエチルホスフェート、トリブチルホスフェート、トリ−（２−エチルヘキシル）ホスフェート、トリブトキシエチルホスフェートから選ばれるリン酸誘導体を含む
　【請求項３】顔料分散体を含むことを特徴とする請求項１または２記載のグラビア印刷用水性印刷インキ。
【発明の詳細な説明】
　【０００１】
　【発明の属する技術分野】本発明は、グラビア印刷用水性印刷インキに関する。
　【０００２】
　【従来の技術】近年、印刷分野では、大気中への有機溶剤の揮散問題、省資源、省エネルギーの面から、また作業環境の改善及び防災上の意識の高まりから、印刷インキの水性化が望まれ一部実用化されつつある。水性印刷インキのベヒクルとしては、従来より、シェラック、ロジンマレイン酸系の水溶性樹脂、スチレン−（メタ）アクリル酸共重合樹脂、（メタ）アクリル酸エステル−（メタ）アクリル酸共重合樹脂、ウレタン樹脂、ポリエステル樹脂、セルロース誘導体等を単独で、もしくは必要に応じて適宜配合した組成物を用いている。
　【０００３】しかし、これらの樹脂は水に溶解もしくは分散させるためカルボキシル基やアミノ基を樹脂骨格中に有しており、これらの樹脂をベヒクルとする印刷インキの塗膜物性はアルカリ、アルコール等の耐薬品性において極めて不十分である。一方、従来よりエマルジョン型樹脂をベヒクルに用いるインキの検討がなされていたが、塗膜物性の向上は図られるが顔料分散性、再溶解性、版かぶり性不良等のインキ化適性、印刷適性の面で問題があるため使用されていない。従って、耐薬品性が要求される分野では、有機溶剤型インキあるいは架橋剤を用いる２液配合型水性印刷インキが用いられているが、２液配合型水性印刷インキの使用においては、架橋剤配合後の印刷インキの可使時間による版詰まり等の作業性の問題、配合インキの経時安定性不良による経済性の問題がある。
　【０００４】
　【発明が解決しようとする課題】本発明の第一の目的は、インキ安定性、印刷効果、印刷適性の優れたグラビア印刷用水性印刷インキを得ることにあり、第二の目的は、塗膜物性（接着性、耐水性、耐摩擦性、耐薬品性、耐汚染性等）を有するグラビア印刷用水性印刷インキを得ることにある。
　【０００５】
　【課題を解決するための手段】
すなわち、本発明は、最低造膜温度が７０〜２３０℃の、塩化ビニル−酢酸ビニル系共重合体、塩化ビニル−アクリル酸エステル系共重合体
より選ばれる１種または２種の
、さらにトリメチルホスフェート、トリエチルホスフェート、トリブチルホスフェート、トリ−（２−エチルヘキシル）ホスフェート、トリブトキシエチルホスフェートから選ばれるリン酸誘導体を含む
　【０００６】
　【発明の実施の形態】本発明のグラビア印刷用水性印刷インキのベヒクルとして用いる樹脂エマルジョンの最低造膜温度（以下、ＭＦＴという）は、７０〜２３０℃、好ましくは１００〜２１０℃の範囲である。なお、本発明において、ＭＦＴとは、ＪＩＳ　Ｋ６８２８（酢酸ビニル樹脂エマルジョン試験方法）に記載されているように、エマルジョン粒子同士が接着し、融着して連続皮膜を形成することのできる最低温度をいう。ＭＦＴが７０℃未満の場合は、インキの再溶解性、洗版性等印刷適性が不十分となる。２３０℃を越える場合は、水性印刷インキ印刷時の乾燥温度が７０〜１５０℃程度であり、また印刷物の後加工時の加熱条件が１８０〜２３０℃程度であるので、インキ皮膜が形成されず、乾燥性等の印刷適性が不十分となる。
　【０００７】樹脂エマルジョンとしては、塩化ビニル系樹脂エマルジョン、酢酸ビニル系樹脂エマルジョン、塩化ビニル−酢酸ビニル系共重合体エマルジョン、アクリル酸エステル系重合体エマルジョン、塩化ビニル−アクリル酸エステル系共重合体エマルジョン、酢酸ビニル−アクリル酸エステル系共重合体エマルジョン、エチレン−酢酸ビニル系共重合体エマルジョン、酢酸ビニル−エチレン−塩化ビニル系共重合体エマルジョン、塩化ビニル−塩化ビニリデン系共重合体エマルジョン、スチレン−ブタジエン系共重合体エマルジョン、ブタジエン−アクリロニトリル系共重合体エマルジョン、ウレタン系樹脂エマルジョン、フッ素系樹脂エマルジョン、エポキシ系樹脂エマルジョン、ポリエステル系樹脂エマルジョン等を挙げることができる。
　【０００８】なかでも、塩化ビニル−酢酸ビニル系共重合体、塩化ビニル−アクリル酸エステル系共重合体およびアクリル酸エステル系重合体からなる群より選ばれる１種または２種以上の樹脂のエマルジョンが好適に用いられる。ＭＦＴが７０〜２３０℃の樹脂エマルジョンは、水性印刷インキ中、５〜９５重量％、さらには６０〜８５重量％の範囲で用いることが好ましい。樹脂エマルジョンの使用量が５重量％未満の場合は、印刷適性及びインキの接着性、耐薬品性等の諸物性において不十分となり、９５重量％を越える場合は、インキ安定性等、インキ化適性が不十分となる。
　【０００９】本発明のグラビア印刷用水性印刷インキは、ＭＦＴが７０〜２３０℃の樹脂エマルジョンと
、
　【００１０】リン酸誘導体は、版かぶり等の印刷適性を向上させるために、水性印刷インキ中、１〜５重量％、好ましくは１〜３重量％の範囲で用いることができる。リン酸誘導体の使用量が少な過ぎる場合は、版かぶり等の印刷適性が不十分となり、多過ぎる場合は、インキの安定性等のインキ化適性が不十分となる。本発明におけるリン酸誘導体とは、トリメチルホスフェート（ＴＭＰ）、トリエチルホスフェート（ＴＥＰ）、トリブチルホスフェート（ＴＢＰ）、トリ−（２−エチルヘキシル）ホスフェート（ＴＯＰ）、トリブトキシエチルホスフェート（ＴＢＸＰ）である。
　【００１１】水可溶性有機溶剤としては、メチルアルコール、エチルアルコール、イソプロピルアルコール、Ｎ−プロピルアルコール等のアルコール類、エチレングリコール、プロピレングリコール等のグリコール類、ブチルセロソルブ、プロピレングリコールモノメチルエーテル、ジエチレングリコールモノメチルエーテル、ジエチレングリコールモノエチルエーテル、ジエチレングリコールモノブチルエーテル等のグリコールエーテル類が挙げられる。水と水可溶性有機溶剤の重量比率は、１００／０〜４０／６０で、アルコール類の場合は防災上の観点から１００／０〜９８／２が好ましい。
　【００１２】本発明のグラビア印刷用水性印刷インキには、上記構成材料の他に、必要に応じて、アンモニア、トリエチルアミン、アミノメチルプロパノール、モノエタノールアミン、ジエチルアミノエタノール、水酸化ナトリウム，水酸化カリウム等の塩基類、気相法シリカ、湿式法シリカ、有機処理シリカ、アルミナ処理シリカ等の微粉末シリカ、ポリエチレンワックス、消泡剤、レベリング剤、粘着性付与剤、防腐剤、防黴剤、抗菌剤、防錆剤等を配合することができる。
　【００１３】
　【実施例】以下、実施例により本発明を詳細に説明する。なお、実施例中の部および％は、重量部および重量％をそれぞれ表す。
〔実施例１〕（１）アクリル酸エステル系重合体エマルジョン　６８．０部（最低造膜温度７７℃、固型分３４％）（２）ポリエチレンワックス　３．０部（３）水　３．９部（４）シリコーン系消泡剤　０．１部（５）ＴＢＸＰ　２．０部（６）ウレタン変性ポリエーテル系粘着性付与剤　３．０部（７）フタロシアニン顔料分散体（顔料分４２．５％）　２０．０部上記組成中の（１）〜（６）を撹拌機で混合後、卓上サンドミルにて分散し、（７）を攪拌機にて混合し、粒度がグラインドゲージで３０μのグラビア印刷用水性印刷インキを得た。
　【００１４】〔実施例２〕（１）塩化ビニル−酢酸ビニル系共重合体エマルジョン　７５．９部（最低造膜温度１３０℃、固型分５５％、塩化ビニル／酢酸ビニル比率＝５０／５０）（２）ポリエチレンワックス　３．０部（３）水　７．０部（４）シリコーン系消泡剤　０．１部（５）ＴＯＰ　３．０部（６）ウレタン変性ポリエーテル系粘着性付与剤　３．０部（７）縮合アゾ顔料　８．０部上記組成物（１）〜（７）を攪拌機で混合後、卓上サンドミルにて分散し、粒度がグラインドゲージで３０μのグラビア印刷用水性印刷インキを得た。
　【００１５】〔実施例３〕実施例１と同様にして、下記組成のグラビア印刷用印刷インキを得た。（１）塩化ビニル−アクリル酸エステル系共重合体エマルジョン　７３．９部（最低造膜温度２１０℃、固型分４３％、塩化ビニル／アクリル酸エステル比率＝９０／１０）（２）ポリエチレンワックス　３．０部（３）水　４．０部（４）シリコーン系消泡剤　０．１部（５）ＴＢＰ　１．０部（６）ウレタン変性ポリエーテル系粘着性付与剤　３．０部（７）カーボンブラック分散体（顔料分４０．５％）１５．０部
　【００１６】
　【００１７】〔比較例１〕
実施例１と同様にして、下記組成のグラビア印刷用水性印刷インキを得た。
（１）酢酸ビニル−エチレン−塩化ビニル系共重合体　６９．０部エマルジョン（最低造膜温度４０℃、固型分５０％、酢酸ビニル／エチレン／塩化ビニル比率＝３０／２０／５０）（２）ポリエチレンワックス　３．０部（３）水　３．９部（４）シリコーン系消泡剤　０．１部（５）ＴＢＸＰ　１．０部（６）ウレタン変性ポリエーテル系粘着性付与剤　３．０部（７）フタロシアニン顔料分散体（顔料分４２．５％）２０．０部
　【００１８】〔比較例２〕実施例１と同様にして、下記組成のグラビア印刷水性印刷インキを得た。
（１）塩化ビニル−酢酸ビニル系共重合体エマルジョン　７１．０部（最低造膜温度５０℃、固型分４３％、塩化ビニル／酢酸ビニル比率＝５０／５０）（２）ポリエチレンワックス　３．０部（３）水　１３．９部（４）シリコーン系消泡剤　０．１部（５）ＴＢＰ　１．０部（６）ウレタン変性ポリエーテル系粘着性付与剤　３．０部（７）フタロシアニン顔料　８．０部
　【００１９】「〔比較例３〕（１）アクリル酸エステル系重合体エマルジョン　６７．０部（最低造膜温度２３℃、固型分４２％）（２）ポリエチレンワックス　３．０部（３）水　６．９部（４）シリコーン系消泡剤　０．１部（５）ウレタン変性ポリエーテル系粘着性付与剤　３．０部（６）顔料分散体（フタロシアニン顔料、顔料分４２．５％）２０．０部　
上記組成中の（１）〜（５）を撹拌機で混合後、卓上サンドミルにて分散し、（６）を攪拌機にて混合し、グラビア印刷用水性印刷インキを得た。
　【００２０】実施例および比較例で得られた水性印刷インキにつき、印刷適性（再溶解性、洗版性、版かぶり性）を評価した。また、実施例および比較例で得られた水性印刷インキを水にてザーンカップ＃３−２５秒に希釈し、発泡塩化ビニルゾルコート込み塩ビ壁紙原反に、ヘリオクリッショ１７５線／インチの版を用いてグラビア印刷したのち、該印刷物を２２０℃の熱風オーブンにて４５秒間加熱発泡させ、加熱発泡加工後の塗膜物性（接着性、耐水性、耐摩擦性、耐薬品性）を評価した。結果を表１に示す。なお、印刷適性における判定は△〜○が、塗膜物性における判定は○が実用範囲である。評価方法及び判定基準は以下の通りである。
　【００２１】
再溶解性　：印刷を開始し、印刷物を得る。次に印刷機を停止し１５分後に再び印刷機を運転し印刷物を得る。再運転後の印刷物を初めの印刷物と比較し、画線の再現性を目視判定する。
判定基準　○良好　△やや不良　×不良洗版性　：再溶解性評価方法で１５分停止したグラビア版を水で洗浄し、版に付着したインキの落ち具合を判定する。
判定基準　○良好　△やや不良　×不良版かぶり性：印刷速度７０ｍ／分でまず１分間印刷し、次に印刷しない状態で版を３０分間空転させた。その後、再び１分間印刷し、被印刷体無地部分への地汚れの程度を目視で判定した。
判定基準　○版かぶりが全くないもの△版かぶりが僅かにあるもの×版かぶりが著しく現れているもの
　【００２２】
接着性　：セロファンテープ２５ｍｍ巾を印刷面に均一になるよう押さえつけ、次にセロファンテープを印刷面より素早く剥離する。この時セロファンテープに取られたインキ塗膜の状態を判定した。
判定基準　○インキ剥離なし△僅かにインキ剥離あり×著しいインキ剥離あり耐水性　：学振型堅牢度摩擦試験機を用い、荷重２００ｇ、１００回往復の条件にて、対含水綿布で摩擦しインキの溶出状態により判定する。
判定基準　○良好　△やや不良　×不良耐摩擦性　：耐水性評価と同様の条件にて、対上質紙にて摩擦しインキの剥落状態を判定する。判定基準　○良好　△やや不良　×不良
　【００２３】
　耐薬品性（酸、アルカリ、アルコール、家庭用洗剤）：５％塩酸水溶液及び５％苛性ソーダ水溶液を含んだ脱脂綿をそれぞれ印刷物上に１時間放置した後のインキの溶出状態により判定する。また、特級エタノールを含んだ脱脂綿での１００回ラビングによるインキの溶出状態を判定する。また、市販の家庭用洗剤（大日本除虫菊社製「サンポール」、ライオン社製「ママレモン」、花王社製「キッチンハイター」、「マイペット」）をそれぞれ印刷物上に原液で１時間放置した後の印刷物上の汚染状態により判定する。なお、表１には、総合評価結果を示す。
判定基準　○すべて良好　△一部不良　×すべて不良
　【００２４】
　【表１】
　【００２５】
　【発明の効果】本発明により、インキ安定性、印刷適性、印刷効果に優れ、且つ塗膜物性（接着性、耐水性、耐摩擦性、耐薬品性、耐汚染性等）を有するグラビア印刷用水性印刷インキを得られるようになり、その工業的価値は多大である。